(57)【要約】【課題】  特殊な技術や多大な費用を要することなくごく簡易に構築できて津波避難が可能であるとともにその後の生活にも困らないようにすることができる津波避難施設を提供することを目的とする。【解決手段】  津波の襲来が想定される海岸につながる陸地とこの陸地につながる奥方に自然に設けられた高台地とを有する場所を対象として、陸地上には、陸地に根を張り上方へ向けて高く伸びる竹を含む高伸性樹木の複数本を寄せ合わせて連結するとともにその津波想定高さ以上の高さに避難部分を設定しかつその避難部分と陸地とを連絡するように登降手段を配置して構成する一方、高台地には、自給自足のための農作業用および津波避難用の双方の用途を兼ねる部屋を備えた施設の他に生活を営むための食事準備施設や風呂やトイレなどの諸施設を備えてなっている。【選択図】図２
2015108277.tif 000002
【特許請求の範囲】
【請求項１】
津波の襲来が想定される海岸につながる陸地とこの陸地につながる奥方に自然に設けられた高台地とを有する場所を対象として、陸地上には、陸地に根を張り上方へ向けて高く伸びる竹を含む高伸性樹木の複数本を寄せ合わせて連結するとともにその津波想定高さ以上の高さに避難部分を設定しかつその避難部分と陸地とを連絡するように登降手段を配置して構成する一方、高台地には、自給自足のための農作業用および津波避難用の双方の用途を兼ねる部屋を備えた施設の他に生活を営むための食事準備施設や風呂やトイレなどの諸施設を備えてなっている津波避難施設。
【発明の詳細な説明】
【技術分野】
【０００１】  この発明は、津波避難施設に関する。
【背景技術】
【０００２】  先のスマトラ沖大地震や東日本大震災においては、想定を超える高さの津波が襲来し、多くの人が高台への避難に遅れて津波に巻き込まれ命を失った。そうした高台への避難の遅れを解消するものとして例えば、特許文献１に示す人工的高台施設である津波避難装置を提案した。【０００３】
【特許文献１】  特開２０１３−１５５５９４
【発明の概要】
【発明が解決しようとする課題】
【０００４】  特許文献１に開示する人工的な津波避難装置（例えば、図１）は、複数本の支柱を上下段の梁（横連結材）により相互連結してその上段のものを介してその上面に避難ステージを設けるとともに地上から避難ステージ上に避難するのを助けるための登降手段（階段）を備えた鉄骨構造型の避難装置を提供している。こうした鉄骨構造型の避難装置によれば、津波襲来時に近場の人々が直ぐに避難できて助かるのであるが、基礎工事から鉄骨構築工事が必要であるなど全体の構築に大掛かりな技術と施工作業が必要であるだけでなくそれに伴って多大な費用が必要となることから、田舎の漁村などにあっては設置実現が阻まれてきたのが実状である。【０００５】  この発明は、上記問題を解決しようとするもので、特殊な技術や多大な費用を要することなくごく簡易に構築できて津波避難が可能であるとともにその後の生活にも困らないようにすることができる津波避難施設を提供することを目的とする。
【課題を解決するための手段】
【０００６】  この発明は上記目的を達成するため、請求項１に記載の発明は、津波の襲来が想定される海岸につながる陸地とこの陸地につながる奥方に自然に設けられた高台地とを有する場所を対象として、陸地上には、陸地に根を張り上方へ向けて高く伸びる竹を含む高伸性樹木の複数本を寄せ合わせて連結するとともにその津波想定高さ以上の高さに避難部分を設定しかつその避難部分と陸地とを連絡するように登降手段を配置して構成する一方、高台地には、自給自足のための農作業用および津波避難用の双方の用途を兼ねる部屋を備えた施設の他に生活を営むための食事準備施設や風呂やトイレなどの諸施設を備えてなっている。
【発明の効果】
【０００７】  上述したように、請求項１に記載の発明は、津波の襲来が想定される海岸につながる陸地とこの陸地につながる奥方に自然に設けられた高台地とを有する場所を対象として、陸地上には、陸地に根を張り上方へ向けて高く伸びる竹を含む高伸性樹木の複数本を寄せ合わせて連結するとともにその津波想定高さ以上の高さに避難部分を設定しかつその避難部分と陸地とを連絡するように登降手段を配置して構成する一方、高台地には、自給自足のための農作業用および津波避難用の双方の用途を兼ねる部屋を備えた施設の他に生活を営むための食事準備施設や風呂やトイレなどの諸施設を備えてなっているので、特殊な技術や多大な費用を要することなくごく簡易に構築できて津波避難が可能であるとともにその後の生活にも困らないようにすることができる津波避難施設を提供することができる。
【図面の簡単な説明】
【０００８】
【図１】  この発明の一実施形態を示す図２の平面図。
【図２】  図１のＩＩ−ＩＩ線断面図。
【図３】  図１の陸地の避難施設を拡大して示す平面図。
【図４】  図３のＩＶ−ＩＶ線断面図。
【図５】  他の実施形態を示す側面図。
【図６】  避難施設の他の実施形態を示す斜視図。
【図７】  避難施設の他の実施形態を示す側面図。
【図８】  他の実施形態を示す図９の平面図。
【図９】  図８のＩＸ−ＩＸ線断面図。
【発明を実施するための形態】
【０００９】  以下、この発明の一実施形態を図１ないし図４に従って説明する。
１は海洋部、２は海岸部、３は海岸部２につながる低い陸地を示し、陸地３には、例えば、矢印Ｘのように５ｍ前後の押し波の襲来が、また矢印Ｙのように引き波の襲来がそれぞれ想定されている。
陸地３の奥方には、山や丘陵などの自然地の上層部を掘削して平坦に造成するなどして自然地である高台地５が形成されている。
【００１０】  陸地３上には、陸地３に根を張り上方へ向けて高く伸びる高伸性樹木６が複数本植成されている。高伸性樹木６としては、柿の木や桃の木、あるいは栗の木などの直根性植物や津波に対し強く抵抗するタブや樫の木、ヤシの木などが好適である。尚、松の木は津波の力に弱く、津波の力に強いものとしては照葉樹であるウバメガシ、ビャクシン・シロダモ、あるいはイヌマキの海岸林用樹木が過去の大型台風の高波時にも抵抗性を示したことから高伸性樹木６として好適なものとされる。
ここでは高伸性樹木６が４本として図示されているが、実際には……松原のように図２の紙面に直角方向に広く亘るように多数本群の高伸性樹木６…が植成されているもので、そのうちの４本のみを選択したものである。高伸性樹木６…については任意配置に植成するのでなく、図３のように四角形（菱形）の頂点位置になるようにしかもそれを連結する梁７…が津波襲来方向Ｘに対し斜め向きで山形になるような関係で配置されたものを選んで構成すれば津波Ｘに対して非常に強く抵抗する施設となる。勿論、図３の右上欄に示すように三角形や六角形を基本とするものでもよい。
【００１１】  その中で前記４本の高伸性樹木６…を選んでそれらの上部周りを木材や金属材などの梁７…で四辺形となるように相互連結してなるとともに、これら梁７…の上面を介して高さ５ｍ以上の避難ステージ（避難部分）８を固定式に造り、その上に津波襲来後の避難生活も可能なような樹上避難小屋９を設置してある。１０は陸地３と避難ステージ８間を連絡する登降手段（簡易階段）である。
【００１２】  １２は前・後の防波堤で、上からみて弓形をなすように土砂やコンクリートなどを固めて形成され、その内部には岩塊やコンクリート塊などによる補強地塊１３…が基礎部分として埋設されている。防波堤１２，１２の前・後には更に複数本の緩衝杭１４…がＶ字あるいは弓形配置となるように固定配備され、それらは連結梁１５により強くつながれている。
そして、各高伸性樹木６はアンカー１６との間に結ばれた引張ワイヤー１７により強く引かれて高伸性樹木６が簡単には倒れないようにされている。
【００１３】  一方、高台地５の前側には、低い陸地３から高台地５間をつなぐ階段である登降手段２０が掛け渡され、陸地３上で津波の襲来を受けようとする際にその津波が想定を超えて高く避難ステージ８に避難したのでは危険と考えられる場合にこの登降手段２０を使って高台地５に避難することになる。
高台地５は、避難ステージ８よりは十分高い避難場所として形成されている。この高台地５には、平時はトーモロコシやサトイモ、さつまいも、じゃがいもなどの農産物を生産するための農地２１や柿やビワ、ミカンやイチジクなどの果物のできる果実用樹木２２をつくっておき、いつでもこれら農産物や果物などの収穫物を自給自足式で得られるようにしてある。
【００１４】  ２３は自給自足のための農作業用および津波避難用を兼ねる用途部屋を備えた施設である高台小屋であり、この小屋２３の中には生活を営むための風呂２４やトイレ２５が設けられている他、津波襲来後に数日間最低限の生活をするのに必要な食糧や水などを常時保管しておくものとし、さらに屋外にはかまど２６である食事準備施設などの諸施設が設けられている。風呂２４は屋外に設けてもよく、またトイレ２５も屋外トイレ２７として設けられてもよい。
尚、２９はソーラーパネルで小屋２３内や屋外などで電力使用可能にしてもよく、また水車式の水力発電システム３０により電力使用を可能にしてもよい。
【００１５】  津波は矢印Ｘのように押し波として陸地３上に押し寄せてくるが、付近の人は津波が襲来してくる前に登降手段１０を使って避難ステージ８上に上がり樹上避難小屋９内に入って避難を済ませておくようにする。これにより、避難ステージ８の高さは津波Ｘの想定高さよりは高くなっているので津波Ｘに流されることはないが、更に安全を図りたい人は登降手段２０を使って高台地５上に避難しておけば津波Ｘの襲来から護られることになる。高台地５上に避難すれば、陸地３が津波の襲来を受けて損害を受けた状態になっても最低限の生活を続けることができる。
【００１６】  尚、図１の陸地３に構築した津波避難施設は１組しか図示していないが、同施設の左右など他に場所にも併設することがある。また、高伸性樹木６と梁７との連結は、高伸性樹木６の生長を妨げないようにするため、締め付け方式を避け軟質ゴムなどの弾性材を介して連結することが望ましい。
【００１７】  津波Ｘの想定高さが図５のように避難ステージ８の高さを超えると想定される場合には、同図のように、梯子式などのように登り詰めることのできる補助登降手段３２を補足しておくとより安全が確保されることになる。この場合、補助登降手段３２は、高伸性樹木６や避難ステージ８のいずれかあるいは双方に連結して安定化させるものとする。
【００１８】  前記では高伸性樹木６同士を連結する方式にしていたが、図６に示すように、対象を単独本の高伸性樹木６とし、その高伸性樹木６を、手摺３５付き避難部３６を上端に備えた３本などの立脚部材３７付きで登降手段３８を備えた簡易型避難施設４０を基部のアンカー４１固定により陸地３上に立設固定するとともに避難部３６の穴に高伸性樹木６を自由に伸びる形でしかも津波流Ｘには効果を発揮する形で構成しておくことができる。
【００１９】  尚、避難施設４０相互は、避難部３６や立脚部材３７の個所あるいは高伸性樹木６相互を介して連結部材４２でつないでおくことでより津波流Ｘに対抗することができる。これら連結部材４２間で形成される面内に一部を利用した部分避難ステージ４３や全面を利用した全面避難ステージ４４を形成して避難面積を広くとるようにしてもよい。これら避難ステージ４３，４４はロープを編成した簡易型のものにしてもよい。
【００２０】  さらに、高伸性樹木６の中には図７に示すような孟宗竹その他の竹材やヤシの木も含まれ、こうした竹が高伸性樹木６の場合には、それら複数本を上部においてロープや締付金具などの結束部材４７により束ねて締付けることで津波流Ｘ、Ｙに対し大きく抵抗できる津波避難施設４８を構成することができる。外周に設けられる下段の結束部材４７を利用してその内周面内には避難部分４９をロープ張り方式などにより設けるとともに高伸性樹木６や上段の結束部材４７などを手摺部材として構成することができる。
【００２１】  また、高伸性樹木６それ自体を脚部としそれに竹材や木材などによる踏み桟（ステップ）５０…を結び付けて梯子５１を構成することができる。これら津波避難施設４８は多くの竹からなる竹林を利用して複数基配備することができる。津波避難施設４８間を連結してさらに手摺５２付き避難部分５３を設けることで施設自体の津波対抗力を強めしかも避難可能面積の拡張を可能にすることもできる。
尚、前記結束部材４７は、図７の右欄に示すように、周回りに高伸性樹木６…を前後交互に編むように通されるロープや竹材などを上下に複数段配備してそれ自体が踏み桟５０になって梯子５１を構成するようにしてもよい。
【００２２】  図８および図９は他の実施形態を示し、この実施形態は、高台地５内に立体矩形の穴を掘ってその中を居住空間５６とするとともに、居住空間５６の底面にはすのこ５７が設けられて非常用品５８が保管されるようにされるとともにコーナーには階段５９が設けられて登り降り可能とされている。
【００２３】  そして、居住空間５６の上面開口は防水型閉止シート６０で開閉自在に閉止されるもので、この閉止シート６０は。水が入らないように周りよりも少し高くした土手部分５ａ上に乗り掛かるとともにウエイト６１により押さえられて雨や風などが居住空間５６内に侵入しないようになっている。尚、仮に居住空間５６内に水が入ったとしても図９のように排水管６７により低い陸地３の方向に排出されるように構成される。
【００２４】  ６３は水密式ファスナー６２などで開閉自在とした出入り口シートで、閉止シート６０の一部に設けられていてそれを開閉することで階段５９を介して出入り可能とされている。
尚、閉止シート６０に代えて上カバー６４をセットすることができる。上カバー６４は、図９に仮想線で示しまた同図右欄に取り出して示すように、前後端を閉止した三角屋根型あるいはかまぼこ型をしたものとされ、例えば、ヒンジ６５を介して閉止シート６０の全体が開閉されるようにしたり、端面に開閉部６６を備えたり右欄のように周上面に開閉部６６を設けたりして出入り可能に構成することができる。上カバー６４には換気手段６８を備えて津波や風雨に備えるものとする。
【符号の説明】
【００２５】  １…海洋部  ２…海岸部  ３…陸地  ５…高台地  ６…高伸性樹木  ７…梁  ８…避難ステージ（避難部分）  ９…樹上避難小屋  １０…登降手段  ２３…高台小屋。
【図１】
2015108277.tif 000003
【図２】
2015108277.tif 000004
【図３】
2015108277.tif 000005
【図４】
2015108277.tif 000006
【図５】
2015108277.tif 000007
【図６】
2015108277.tif 000008
【図７】
2015108277.tif 000009
【図８】
2015108277.tif 000010
【図９】
2015108277.tif 000011